(57)【要約】【課題】床下換気孔から水が侵入した際には自動的に該水の侵入を防止することができるとともに、床下換気孔による換気機能や除湿機能が減殺されることなく、これらの機能を有効に発揮することができる床下換気装置等を提供する。【解決手段】床下換気孔１１ａが形成された住宅の基礎部１１に装着される貯水槽支持部材２に支持され上記基礎部１１の内側面からやや離間した部位に位置してなるとともに、底板部３４と３つの側板部３５，３６，３７を少なくとも有し、上記床下換気孔１１ａを通過して流入した空気又は水が流入する流入空間Ｂを有してなる貯水槽３と、この貯水槽３を構成する底板部３４の上方に形成された開閉用開口Ｃと、上記貯水槽３内に流入した水が所定高さに至った際に上記開閉用開口Ｃを下側から閉塞する浮遊弁４と、を備えてなる。【選択図】  図１７
2020169510.tif 000002
【特許請求の範囲】
【請求項１】
床下換気孔が形成された住宅の基礎部に装着される貯水槽支持部材と、
この貯水槽支持部材に支持され上記基礎部の内側面からやや離間した部位に位置してなるとともに、底板部と３つの側板部を少なくとも有し、上記床下換気孔の内側を通過して流入した空気又は水が流入する流入空間を有してなる貯水槽と、
この貯水槽を構成する底板部の上方に形成された開閉用開口と、
上記貯水槽内に収容されてなるとともに、該貯水槽内に流入した水が所定高さに至った際に上記開閉用開口を下側から閉塞する浮遊弁と、
を備えてなることを特徴とする床下換気装置。
【請求項２】
前記床下換気孔は、４つの孔形成面により成形され、
前記貯水槽支持部材は、外側には上記４つの孔成形面に対向する対向面がそれぞれ形成されてなるとともに、内側には空気又は水が流通する流通空間が形成された枠体であって、
この流通空間と前記貯水槽に形成された流入空間とは互いに連通してなることを特徴とする請求項１記載の床下換気装置。
【請求項３】
前記貯水槽支持部材は、天板部、底板部、左側板部及び右側板部を有する枠体であり、
この枠体は、前記基礎部をコンクリートにより成形する前段階において所定位置に固定されるものであるとともに、
上記天板部及び底板部の外側面には、前記床下換気孔の長さ方向に長さを有し互いに対向する複数のリブが形成され、
前記住宅の床下換気孔は、この枠体の内側に形成された前記流通空間とされてなることを特徴とする請求項１記載の床下換気装置。
【請求項４】
前記底板部は方形状に成形され、前記側板部は該底板部の終端からそれぞれ起立してなるとともに、前記貯水槽に形成された流入空間には、該貯水槽内における水位の変化に伴い上昇移動又は下降移動する浮遊弁をガイドする一又は複数のガイド部材が形成されてなることを特徴とする請求項１，２又は３記載の何れかの床下換気装置。
【請求項５】
前記浮遊弁は方形状に成形された板体であり、前記貯水槽を構成する底板部の上面には、上端で前記浮遊弁を支持する複数の支持用凸部が形成されてなることを特徴とする請求項１，２，３又は４記載の何れかの床下換気装置。
【請求項６】
前記貯水槽支持部材としての枠体と前記貯水槽との双方又は何れか一方には、該枠体と貯水槽とを固定する固定手段を有してなるとともに、
この枠体の背面と前記貯水槽の正面との何れかには、弾性を有するコーキング材その他の止水材が充填される無端状の凹条と、この凹条に充填された上記止水材が圧接される圧接板部とが相対的に形成され、
上記固定手段により該枠体と貯水槽とが固定されることにより、上記止水材は上記圧接板部により圧接されることを特徴とする請求項２，３，４又は５記載の何れかの床下換気装置。
【請求項７】
前記貯水槽支持部材としての枠体の背面の下端側と前記貯水槽の正面の下端側との何れかには、円弧状の回動ガイド部とこの円弧状の回動ガイド部に支持される固定軸部、又は該円弧状の回動ガイド部が支持される固定軸部との何れかが相対的に形成され、
上記貯水槽全体は、上記回動ガイド部に固定軸部が支持されながら、又は該固定軸部が回動ガイド部に支持されながら、回動操作された後に、上記貯水槽支持部材に対して固定手段により固定されるものであることを特徴とする請求項２，３，４，５又は６記載の何れかの床下換気装置。
【請求項８】
前記請求項１ないし７記載の何れかの床下換気装置を備えてなることを特徴とする住宅。
【発明の詳細な説明】
【技術分野】
【０００１】
本発明は、床下換気装置及びこの床下換気装置を備えた住宅に関し、特に、床下換気孔からの水の侵入を防止し、ひいては水害による被害を抑制することができる床下換気装置及びこの床下換気装置を備えた住宅に関するものである。
【背景技術】
【０００２】
近年、台風による大雨や集中豪雨等により洪水が発生し、住宅に大きな被害が発生する場合が多い。こうした洪水等が発生した場合、基礎部に設けられた床下換気孔から水が侵入し、床下浸水或いは床上浸水となる等の被害が発生する。
【０００３】
そして、こうした床下換気孔からの水の侵入を防止する手段として、以下に説明するものが提案されている。これは「床下浸水防止構造」に係るものであり、床下換気孔に連通するとともに、床下空間と外部空間との間で空気を流通させる空気通路が形成され、この空気通路に上記床下換気孔から流入した水を堰き止める止水部により止水された水に浮遊する浮力体の浮上により、自動的に上記空気流通路を閉塞するものである（特許文献１参照）。
【先行技術文献】
【特許文献】
【０００４】
【特許文献１】特許第４７２７７５６号公報
【発明の概要】
【発明が解決しようとする課題】
【０００５】
ところで、床下の換気は、床下の湿度を抑えカビや白蟻の発生等を抑制し、ひいては住宅の耐久性を向上させる上では大変重要な要素となる。しかしながら、上記特許文献１に開示された構造では、上記浮遊体により閉塞される空気通路の入り口は、極めて狭い空間とされているばかりではなく、該浮遊体により閉塞される空間（通路）は、構造上当然に上記入り口が形成された位置よりも上方に形成されていることが必須となり、この閉塞される空間（通路）の開口面積も極めて狭いものとならざるを得ないことから、洪水等が発生しない通常時における換気機能は相当制約されることとなり、こうした床下浸水防止構造を採用することにより、却って住宅の耐久性を低下させることとなる。因みに、独立行政法人住宅金融支援機構は、「優良住宅取得支援制度」として、住宅の購入者に住宅資金の貸付条件や貸付利率を優遇する施策を採用しているところ、こうした優遇を受けることができる住宅の条件を「住宅基準技術実施細則」として規定している。そして、この基準には、「外壁の床下部分には・・・有効面積３００平方センチメートル以上の換気孔設けられ・・・ていること」と記載されている（第６頁：第２証券化支援住宅技術基準、１新住宅の基準、（６）住宅の耐久性確保に関する措置、イ住宅の構造、（ア）ｃ）。こうした基準を上記特許文献１に開示された構造に適合させようとする場合、上記浮遊体により閉塞される空気通路が住宅の基礎部の内側に位置しているという構造上からも、上記浮遊体により閉塞される空間（通路）を、水平方向に長く設計し及び／又は幅を長尺なものに設計せざるを得ず、こうした設計変更は、この構造が設けられる基礎部自体の耐力を著しく減殺するものとなる。
【０００６】
そこで、本発明は、上述した従来の技術が有する課題を解決するために提案されたものであって、床下換気孔から水が侵入した際には自動的に該水の侵入を防止することができ床下浸水となること有効に防止することができるばかりではなく、床下換気孔による換気機能や除湿機能が減殺されることなく、これらの機能を有効に発揮することができる床下換気装置及びこの床下換気装置を備えた住宅を提供することを目的とするものである。
【課題を解決するための手段】
【０００７】
本発明は、上記課題を解決するために提案されたものであって、第１の発明（請求項１記載の発明）は床下換気装置に係るものであって、床下換気孔が形成された住宅の基礎部に装着される貯水槽支持部材と、この貯水槽支持部材に支持され上記基礎部の内側面からやや離間した部位に位置してなるとともに、底板部と３つの側板部を少なくとも有し、上記床下換気孔の内側を通過して流入した空気又は水が流入する流入空間を有してなる貯水槽と、この貯水槽を構成する底板部の上方に形成された開閉用開口と、上記貯水槽内に収容されてなるとともに、該貯水槽内に流入した水が所定高さに至った際に上記開閉用開口を下側から閉塞する浮遊弁と、を備えてなることを特徴とするものである。
【０００８】
上述した第１の発明に係る床下換気装置では、洪水等が発生しない通常時においては、上記床下換気孔、流入空間並びに開閉用開口を介して、床下空間と住宅の外部空間とが連通し、住宅の床下換気機能や防湿機能は担保される。これに対して、集中豪雨等により洪水が発生し、上記床下換気孔から水が流入すると、この水は、上記貯水槽に形成された流入空間から該貯水槽内に流入すると、その水に上記浮遊弁が浮かび、さらに水嵩が増加して該貯水槽内の水位が上昇することにより、上記開閉用開口が浮遊弁により下側から自動的に閉塞される。こうした浮遊弁による開閉用開口の閉塞により、それ以上の水が基礎部の内側（床下空間内）に流入することが防止される。
【０００９】
特に、この発明に係る床下換気装置では、洪水等の際において、上記浮遊弁により閉塞される開閉用開口は、床下に位置しており、先に記載した特許文献１に開示された構造のように、浮遊体（本発明を構成する浮遊弁）により閉塞される空気通路が基礎部に形成された床下換気孔内に位置しているものではないことから、本発明を構成する浮遊弁により閉塞される開閉用開口の面積や貯水槽に形成された流入空間の面積は、床下換気孔の面積には全く影響されず自由に設計することが可能となる。したがって、本発明によれば、床下換気孔から水が侵入した際には自動的に該水の侵入を防止することができるばかりではなく、集中豪雨等による洪水が発生しない通常時においても、これまでの床下換気孔による床下換気機能及び防湿機能を阻害することなく、それらの機能を有効に発揮させることができる。
【００１０】
なお、この第１の発明に係る床下換気装置は、貯水槽支持部材、貯水槽及び浮遊弁をそれぞれ構成要素とするものであり、上記貯水槽支持部材は、少なくとも床下換気孔が形成された住宅の基礎部に装着され、上記貯水槽を支持する機能を備えているものであれば、何れの形状や構造であっても良く、例えば、枠体として成形されてなるもの（請求項２参照）以外に、単一又は複数の金具等からなり、該金具等により上記貯水槽を支持するものであっても良い。また、この貯水槽支持部材は、上記基礎部、例えば該基礎部の内側面（内側壁）に固定されているものであっても良い。さらに、この貯水槽支持部材は、上記床下換気孔が形成されたコンクリート製の基礎部が成形された後に、該基礎部に装着又は固定されるものであっても良いばかりか、該基礎部をコンクリートにより成形する前段階において、成形する際に使用される成形型にこの貯水槽支持部材を固定し、その後に打設されたコンクリートと一体化されるもの（請求項３参照）であっても良い。また、上記貯水槽は、上記貯水槽支持部材に支持され上記基礎部の内側面からやや離間した部位に位置してなるとともに、底板部と３つの側板部を少なくとも有し、上記床下換気孔を通過して流入した空気又は水が流入する流入空間を有してなるものであれば、その形状や構造は何れのものであっても良い。なお、この貯水槽を構成する底板部の高さは、例えば、床下換気孔を成形する最も下方の形成面と面一でも良いし、又は該最も下方の形成面よりも上方とされてなるもの、さらには、上記最も下方の成形面よりも下方に形成されているものであっても良い。また、上記浮遊弁は、上記貯水槽内に貯水された水が所定高さに至った際に上記開閉用開口を下側から閉塞する機能を有していれば良く、その素材や形状は特に限定されるものではない。また、上記貯水槽と上記開閉用開口との関係は、該開閉用開口が上記貯水槽に形成されているものであっても良いし、該貯水槽を貯水槽本体と蓋体とにより構成し、この蓋体に上記開閉用開口が形成されたものであっても良い。
【００１１】
また、第２の発明（請求項２記載の発明）は、上記第１の発明において、前記床下換気孔は、４つの孔形成面により成形され、前記貯水槽支持部材は、外側には上記４つの孔成形面に対向する対向面がそれぞれ形成されてなるとともに、内側には空気又は水が流通する流通空間が形成された枠体であって、この流通空間と前記貯水槽に形成された流入空間とは互いに連通してなることを特徴とするものである。
【００１２】
この第２の発明に係る床下換気装置では、前記貯水槽支持部材は、外側には上記４つの孔成形面に対向する対向面が形成された枠体である。換言すれば、この貯水槽支持部材である枠体は、前記床下換気孔の内側に装着されるものである。そして、この貯水槽支持部材である枠体の外側には上記４つの孔成形面に対向する対向面が形成され、内側には空気又は水が流通する流通空間が形成されており、この流通空間と前記貯水槽に形成された流入空間とは互いに連通している。したがって、この第２の発明によれば、洪水時の水は、上記貯水槽支持部材である枠体に形成された流通空間と流入空間を通過して、上記貯水槽内に流入することから、該貯水槽内に流入する過程で水が床下空間に漏出する等の危険性を有効に防止することができる。
【００１３】
なお、この第２の発明に係る床下換気装置では、上述したように、貯水槽支持部材（枠体）に形成された上記流通空間と前記貯水槽に形成された流入空間との連通構造又は連通態様は、これらの開口が互いに連通していれば良く、該流通空間と流入空間との間に防水材その他防水機能を有する部材が介在したものであっても良い。また、上記貯水槽支持部材（枠体）は、上記床下換気孔を形成する４つの孔形成面に対向する対向面を有するものであるが、これらの対向面は、各４つの孔形成面の全ての面に対向するものに限定されるものではなく、４つの形成面の一部（例えば、中途部から床下空間側までの形成面）に対向するものであっても良い。
【００１４】
また、第３の発明（請求項３記載の発明）は、上記第１の発明において、前記貯水槽支持部材は、天板部、底板部、左側板部及び右側板部を有する枠体であり、この枠体は、前記基礎部をコンクリートにより成形する前段階において所定位置に固定されるものであるとともに、上記天板部及び底板部の外側面には、前記床下換気孔の長さ方向に長さを有し互いに対向する複数のリブが形成され、前記住宅の床下換気孔は、この枠体の内側に形成された前記流通空間とされてなることを特徴とするものである。
【００１５】
この第３の発明に係る床下換気装置は、先ず、前記貯水槽支持部材としての枠体は、前記基礎部をコンクリートにより成形する前段階において所定位置に固定されるものである。すなわち、基礎部をコンクリートで成形する場合、該所定個所に複数の鉄筋を溶接する等して配筋し、次いで、この鉄筋を挟むように所定の枠材を配置した上で、該枠材と枠材との間にコンクリートを充填・打設する工程を経るところ、上記貯水槽支持部材としての枠体は、上記コンクリートにより基礎部を成形する前段階において、所定個所（床下換気孔が形成されるべき位置）に固定され、次いで、コンクリートを充填・打設することにより、基礎部に固定される。そして、こうした工程で固定される上記枠体には、天板部、底板部、左側板部及び右側板部が形成され、上記天板部及び底板部の外側面には、前記床下換気孔の長さ方向に長さを有し互いに対向する複数のリブが形成されている。したがって、充填されたコンクリートは上記各リブとリブとの間にも充填され、次いで硬化される。したがって、第３の発明に係る床下換気装置を構成する貯水槽支持部材としての枠体は、上記工程により、言わばコンクリートと一体化されるとともに、床下換気孔は、この枠体の内側に形成された前記流通空間となる。
【００１６】
したがって、この第３の発明に係る床下換気装置によれば、上記天板部及び底板部の外側及びそれぞれのリブ同士の間に位置するコンクリートにより、確実に水密性を図ることができ、コンクリートからなる床下換気孔を成形する各成形面と枠体の上下両面との間を通って床下空間側に水が漏出する危険性を有効に防止することができる。
【００１７】
また、第４の発明（請求項４記載の発明）は、前記底板部は方形状に成形され、前記側板部は該底板部の終端からそれぞれ起立してなるとともに、前記貯水槽に形成された流入空間には、該貯水槽内における水位の変化に伴い上昇移動又は下降移動する浮遊弁をガイドする一又は複数のガイド部材が形成されてなることを特徴とするものである。
【００１８】
この第４の発明に係る床下換気装置では、貯水槽内における水位の変化に伴い上昇移動又は下降移動する浮遊弁をガイドする一又は複数のガイド部材が形成されてなることから、該浮遊弁が、貯水槽内における水位の上昇に伴って上昇移動する際、上記側板部及びガイド部材によりそれぞれガイドされる。また、洪水が治まって、貯水槽の水位が徐々に下降し、それまで開閉用開口を閉塞していた浮遊弁が水位の下降に伴って下降する際においても、該浮遊弁は上記ガイド部材にガイドされながら下降移動され、最終的には貯水槽を構成する底板上に載置される。したがって、この第４の発明によれば、浮遊弁が傾斜する等して正確に上記開閉用開口を閉塞することなく、この開閉用開口から水が床下空間に流入してしまう事態を有効に防止することができるとともに、洪水が治まり貯水槽内の水位の低下が低下した場合にあっても、該浮遊弁が傾斜することなく確実に元の位置（底板上）に復帰させることができ、また、上記水位の低下により、上記浮遊弁が貯水槽内から流出する危険性も防止することができる。
【００１９】
また、第５の発明（請求項５記載の発明）は、上記第１、第２、第３又は第４の発明の何れかにおいて、前記浮遊弁は方形状に成形された板体であり、前記貯水槽を構成する底板部の上面には、上端で前記浮遊弁を支持する複数の支持用凸部が形成されてなることを特徴とするものである。
【００２０】
この第５の発明に係る床下換気装置では、前記貯水槽を構成する底板部の上面には、上端で前記浮遊弁を支持する複数の支持用凸部が形成されてなることから、上記貯水槽内に流入した水は、先ず上記支持用凸部の両側であって該浮遊弁の下側に流入し、次いで水位が徐々に上昇し、こうした水位の上昇に伴って上記浮遊弁が上昇移動する。したがって、この第５の発明によれば、勢い良く又は急激に貯水槽内に水が流入した場合であっても、浮遊弁により必ず上記開閉用開口を閉塞することができる。
【００２１】
なお、上記各支持用凸部は、上端で前記浮遊弁を支持する機能を有するものであれば、その大きさや高さは特に限定されるものではなく、例えば、円筒状に成形されたものは勿論、凸条に成形されたものであっても良い。そして、この各支持用凸部を凸条に形成する場合、該凸条はそれぞれ水の流入方向に長さを有することが好ましく、さらに、該凸条の高さは水の流入方向に徐々に短く成形されていることが好ましい。或いは、上記貯水槽を構成する底板部を、水の流入方向につれて高さが徐々に高くなるよう傾斜させ、上記凸条の高さを水の流入方向につれて徐々に短く成形し、それぞれの凸条の高さが水平とされてなるものであっても良い。各支持用凸部を、このように凸条とした場合には、それぞれの凸条の両側から浮遊弁の下側に水が流入することとなる。特に、上記傾斜した底板を構成要素とした場合には、洪水が治まり水位が低下するにしたがって、貯水槽内の水を該貯水槽から排出することが可能となる。
【００２２】
また、第６の発明（請求項６記載の発明）は、上記第２、第３、第４又は第６の発明の何れかにおいて、前記貯水槽支持部材としての枠体と前記貯水槽との双方又は何れか一方には、該枠体と貯水槽とを固定する固定手段を有してなるとともに、この枠体の背面と前記貯水槽の正面との何れかには、弾性を有するコーキング材その他の止水材が充填される無端状の凹条と、この凹条に充填された上記止水材が圧接される圧接板部とが相対的に形成され、上記固定手段により該枠体と貯水槽とが固定されることにより、上記止水材は上記圧接板部により圧接されることを特徴とするものである。
【００２３】
この第６の発明に係る床下換気装置では、弾性を有するコーキング材その他の止水材が充填される無端状の凹条と、この凹条に充填された上記止水材が圧接される圧接板部とを構成要素とし、該凹条と圧接板部とは、上記枠体の背面又は貯水槽の正面の何れか一方に相対的に形成されていれば良い。すなわち、上記凹条が枠体の背面に形成されている場合には、上記圧接板部は貯水槽の正面に形成され、逆に、上記凹条が貯水槽の正面に形成されている場合には、上記圧接板部は枠体の背面に形成されていれば良い。そして、上記固定手段により該枠体と貯水槽とが固定されることにより、上記止水材は上記圧接板部により圧接される。
【００２４】
したがって、この第６の発明によれば、上記枠体から貯水槽まで水が流入する過程・途中で、該枠体と貯水槽との間から水が外部（床下空間）に漏出する危険性を有効に防止することができる。
【００２５】
また、第７の発明（請求項７記載の発明）は、上記第２、第３、第４、第５又は第６の発明の何れかにおいて、前記貯水槽支持部材としての枠体の背面の下端側と前記貯水槽の正面の下端側との何れかには、円弧状の回動ガイド部とこの円弧状の回動ガイド部に支持される固定軸部、又は該円弧状の回動ガイド部が支持される固定軸部との何れかが相対的に形成され、上記貯水槽全体は、上記回動ガイド部に固定軸部が支持されながら、又は該固定軸部が回動ガイド部に支持されながら、回動操作された後に、上記貯水槽支持部材に対して固定手段により固定されるものであることを特徴とするものである。
【００２６】
上記第７の発明に係る床下換気装置では、上記貯水槽支持部材である枠体に貯水槽を固定する際、先ず、貯水槽全体を、上記回動ガイド部に固定軸部が支持された状態、又は固定軸に回動ガイド部が支持された状態とし、その上で、該貯水槽全体を上記固定軸部を中心に回動操作し、その後に、貯水槽を上記固定手段により貯水槽支持部材に固定することができる。
【００２７】
したがって、この第７の発明に係る床下換気装置によれば、貯水槽支持部材としての枠体に対して貯水槽を固定する際には、熟練を要することなく極めて簡単、迅速且つ正確な位置に該貯水槽を決められた位置に固定することができ、不正確な位置に固定されることにより漏水等を引き起こす危険性を有効に防止することができる。
【００２８】
また、第８の発明（請求項８記載の発明）は、住宅に係るものであって、前記請求項１ないし７記載の何れかの床下換気装置を備えてなることを特徴とするものである。
【００２９】
この第８の発明に係る住宅によれば、床下換気孔から水が侵入した際には自動的に該水が床下空間に侵入することを防止することができるとともに、床下換気孔による換気機能や除湿機能が減殺されることなく、これらの機能を有効に発揮することができる住宅とすることが可能となる。
【発明の効果】
【００３０】
上記第１の発明（請求項１記載の発明）に係る床下換気装置によれば、床下換気孔から水が侵入した際には自動的に該水の侵入を防止することができるばかりではなく、集中豪雨等による洪水が発生しない通常時においては、床下換気機能及び防湿機能を有効に発揮することができる。
【００３１】
また、第２の発明（請求項２記載の発明）に係る床下換気装置によれば、洪水時の水は、上記貯水槽支持部材である枠体に形成された流通空間と流入空間を通過して、上記貯水槽内に流入することから、該貯水槽内に流入する過程で水が床下空間に漏出する等の危険性を有効に防止することができる。
【００３２】
また、第３の発明（請求項３記載の発明）に係る床下換気装置によれば、上記天板部及び底板部の外側及びそれぞれのリブ同士の間に位置するコンクリートにより、確実に水密性を図ることができ、コンクリートからなる床下換気孔を成形する各成形面と枠体の上下両面との間を通って床下空間側に水が漏出する危険性を有効に防止することができる。
【００３３】
また、第４の発明（請求項４記載の発明）に係る床下換気装置によれば、浮遊弁が傾斜する等して正確に上記開閉用開口を閉塞することなく、この開閉用開口から水が床下空間に流入してしまう事態を有効に防止することができるとともに、洪水が治まり貯水槽内の水位の低下が低下した場合にあっても、該浮遊弁が傾斜することなく確実に元の位置（底板上）に復帰させることができ、また、上記水位の低下により、上記浮遊弁が貯水槽内から流出する危険性も防止することができる。
【００３４】
また、第５の発明（請求項５記載の発明）に係る床下換気装置によれば、勢い良く又は急激に貯水槽内に水が流入した場合であっても、浮遊弁により必ず上記開閉用開口を閉塞することができる。
【００３５】
また、第６の発明（請求項６記載の発明）に係る床下換気装置によれば、上記枠体から貯水槽まで水が流入する過程・途中で、該枠体と貯水槽との間から水が外部（床下空間）に漏出する危険性を有効に防止することができる。
【００３６】
また、第７の発明（請求項７記載の発明）に係る床下換気装置によれば、貯水槽支持部材としての枠体に対して貯水槽を固定する際には、熟練を要することなく極めて簡単、迅速且つ正確な位置に該貯水槽を決められた位置に固定することができ、不正確な位置に固定されることにより漏水等を引き起こす危険性を有効に防止することができる。
【００３７】
また、第８の発明（請求項８記載の発明）に係る住宅によれば、上記第１ないし第７の発明の何れかと同じように、床下換気孔から水が侵入した際には自動的に該水の侵入を防止することができるばかりではなく、集中豪雨等による洪水が発生しない通常時においては、床下換気機能及び防湿機能を有効に発揮することができる。
【図面の簡単な説明】
【００３８】
【図１】本発明の第１の実施の形態に係る床下換気装置の平面図である。
【図２】図１に示す床下換気装置の側面図である。
【図３】床下換気装置を構成する貯水槽支持部材の正面図である。
【図４】図３に示す貯水槽支持部材の背面図である。
【図５】貯水槽支持部材と貯水槽とが固定された状態を拡大して示す要部断面図である。
【図６】貯水槽を示す正面断面図である。
【図７】貯水槽本体を示す正面図である。
【図８】貯水槽本体を示す平面図である。
【図９】貯水槽本体を示す背面図である。
【図１０】貯水槽の一部を破断して示す右側面である。
【図１１】蓋体を示す平面図である。
【図１２】貯水槽支持部材が基礎部に固定された状態を示す正面図である。
【図１３】貯水槽にコーキング材を充填する工程を模式的に示す側面図である。
【図１４】貯水槽を貯水槽支持部材に固定する工程を模式的に示す側面図である。
【図１５】貯水槽と貯水槽支持部材に固定する直前の状態を模式的に示す側面図である。
【図１６】床下換気装置の通常の状態を模式的に示す断面斜視図である。
【図１７】浮遊弁により開閉用開口が閉塞された状態を模式的に示す断面斜視図である。
【図１８】本発明の第２の実施の形態に係る床下換気装置を示す分解斜視図である。
【図１９】図１８に示す床下換気装置を示す側断面図である。
【図２０】本発明の第３の実施の形態に係る床下換気装置を示す分解斜視図である。
【図２１】図２０に示す床下換気装置を示す側断面図である。
【発明を実施するための形態】
【００３９】
以下、本発明を実施するための最良の形態に係る床下換気装置について、それぞれ図面を参照しながら具体的に詳細に説明し、次いで、この床下換気装置を備えた住宅について説明する。先ず、第１の実施の形態に係る床下換気装置１について説明する。
【００４０】
この実施の形態に係る床下換気装置１は、図１又は図２に示すように、貯水槽支持部材２と、この貯水槽支持部材２に背面側に支持・固定されてなる貯水槽３と、浮遊弁４とから構成されている。上記貯水槽支持部材２は、合成樹脂により、図３に示すように、左右方向（水平方向）に長さを有してなるものであり、内部には空気や水が流通する流通空間Ａが形成された枠体である。すなわち、この貯水槽支持部材２は、図１又は図２に示す長方形状の天板部２１と、この天板部２１の左側から垂下してなる左側板部２２（図１参照）、上記天板部２１の右側から垂下してなり上記左側板部２２に対向してなる右側板部２３（図２参照）と、上記天板部２１に対向してなる底板部２４とを備えており、これら天板部２１、左側板部２２、右側板部２３及び上記底板部２４により閉塞された空間は、上記空気又は水が流通する流通空間Ａである。なお、上記天板部２１、左側板部２２、右側板部２３及び上記底板部２４のそれぞれの外側面は、後述する基礎部１１に形成された床下換気孔１１ａを形成する４つの孔形成面に対向する対向面である。そして、上記左側板部２２と右側板部２３とは、その正面側から背面側にかけて互いに接近するように僅かに傾斜している。また、上記底板部２４は、風雨によりこの貯水槽支持部材２内に雨水が侵入した場合であっても自然に外部に排水されることを目的に、その正面側から背面側にかけて該上記天板部２１に接近するように僅かに傾斜している。そして、上記天板部２１の上面には、図１又は図２に示されるように、該天板部２１の長さ方向に長さを有する複数の第１の上側リブ２１ａと、これら第１の上側リブ２１ａと直交する方向に長さを有する第２の上側リブ２１ｂとがそれぞれ形成され、また、上記底板部２４の下面には、図２に示すように、該底板部２４の長さ方向に長さを有する複数の第１の下側リブ２４ａと、これら第１の下側リブ２５ａと直交する方向に長さを有する第２の下側リブ２４ｂとがそれぞれ形成されている。
【００４１】
また、この貯水槽支持部材２の正面には、上下方向（鉛直方向）に長さを有する複数のルーバー５が回動可能に支持されており、これらのルーバー５は、上下両端が上記天板部２１及び底板部２４の正面側に回動可能に支持されてなるものである。なお、この貯水槽支持部材２には、上記各ルーバー５を開閉操作する操作部及び該操作部の操作により全てのルーバー５が開閉される開閉機構が形成されているが、これらの説明は省略する。
【００４２】
また、上記貯水槽支持部材２の背面には、図４に示すように、上記天板部２１の上面よりも上方に突出してなりやや肉厚とされた上フランジ部２１ｃと、上記左側板部２２の側面よりも側方に突出してなりやや肉厚とされた左フランジ部２２ｃと、上記右側板部２３の側面よりも側方に突出してなりやや肉厚とされた右フランジ部２３ｃと、上記底板部２４の下面よりも下方に突出してなりやや肉厚とされた下フランジ部２４ｃがそれぞれ形成されている。なお、これら上フランジ部２１ｃ、左フランジ部２２ｃ、右フランジ部２３ｃ及び下フランジ部２４ｃは、この貯水槽支持部材２の内側に形成された上記流通空間Ａを囲むように連続した状態で形成されたものである。また、上記貯水槽支持部材２の背面の左右両側には、上記天板部２１の上面及び上記第１の上側リブ２１ａの上端よりも上方に起立した突片２６，２７がそれぞれ起立してなり、各突片２６，２７の中央には円形状の挿通穴２６ａ，２７ａがそれぞれ形成されている。また、上記貯水槽支持部材２に形成された上記上フランジ部２１ｃには、上記貯水槽３を固定するための固定ネジ６（図５参照）が螺着されるネジ穴２１ｄが全部で４つ等間隔に形成されている。
【００４３】
また、上記上フランジ部２１ｃ、左フランジ部２２ｃ、右フランジ部２３ｃ及び下フランジ部２４ｃの背面には、上記流通空間Ａを囲むように、無端状の挿入板部７が上フランジ部２１ｃ、左フランジ部２２ｃ、右フランジ部２３ｃ及び下フランジ部２４ｃの背面から後方に突設されている。なお、この無端状の挿入板部７は、後述する貯水槽本体３１の正面に形成され止水材であるコーキング材が充填される無端状の止水材充填部８内に挿入される部位であり、上記貯水槽本体３１が、後述する要領・操作により、上記貯水槽支持部材２に装着・固定されたされた際に、上記止水材充填部８内に充填された止水材が、該止水材充填部８内から一部が周囲に強制的にみ出すように構成されている。また、上記貯水槽支持部材２の背面には、図４に示すように、上記天板部２１の下面から底板部２４の上面に亘って３つの支柱９がそれぞれ平行に設けられている。また、上記貯水槽支持部材２に形成された上記下フランジ部２４ｃの背面の左右両側であって、上記無端状の挿入板部７が形成された位置よりも下方には、図５に示すように、背面に開口を有する凹部２４ｆがそれぞれ形成され、これらの凹部２４ｆ内には、後述する貯水槽本体３１に設けられた円弧状の回動ガイド部１０がそれぞれ回動可能に支持される固定軸２４ｇ（図２に示すネジの軸部）がそれぞれ水平方向に長さを有した状態で固定されている。
【００４４】
なお、上記貯水槽支持部材２は、住宅の基礎部をコンクリートにより成形する際において、該基礎部に成形される床下換気孔の形成位置に、該基礎部の正面と背面を成形する各型枠に図示しない複数の固定具を使用することによって位置決めし、その上でコンクリートが打設され、該コンクリートが硬化することにより、図１２に示すように、基礎部と一体化（固定）されるものである。すなわち、図１２に示すように、上記貯水槽支持部材２の左右両側や下方には、所定の鉄筋１２が配筋され、予め設計された床下換気孔が形成される位置に、該貯水槽支持部材２が固定されるとともに、この貯水槽支持部材２の内側の流通空間Ａが外部空間と床下空間との間で空気や水を流通させる空間（床下換気孔）となる。上記貯水槽支持部材２の背面の左右両側に形成された各突片２６，２７は、上記各型枠にこの貯水槽支持部材２を図示しない複数の固定具により固定する際に使用される部位であり、上記コンクリートが打設された際には、図５に示すように、これら各突片２６，２７はコンクリート内に埋設される。
【００４５】
次に、上記貯水槽３について説明する。この貯水槽３は、図２又は図６に示すように、貯水槽本体３１と、この貯水槽本体３１の上部に固定される蓋体３２と、上記貯水槽本体３１内に収容される上記浮遊弁４とを備えている。上記貯水槽本体３１及び上記蓋体３２は、それぞれ合成樹脂により成形されたものであり、上記貯水槽本体３１は、図６に示すように、左右方向に長さを有する底板部３４と、この底板部３４の後端から起立してなる背面側板部３５と、上記底板部３４の左端から起立してなる左側板部３６と、上記底板部３４の右端から起立してなり上記左側板部３６に対向してなる右側板部３７と、中央に略長方形状に成形され後述する蓋体３２に形成された無端状の止水部材５１の外周が挿入される開口３８ａが形成された天板部３８とを備えている。したがって、この貯水槽本体３１の正面は、該貯水槽本体３１内に、上記貯水槽支持部材２に形成された流通空間Ａを通過した空気又は水が流入する流入空間Ｂとされている。そして、上記底板部３４の正面側の上面は、上記貯水槽支持部材２を構成する底板部２４の後端の上面と略同じ位置とされているとともに、該底板部３４は、後述するように、この貯水槽本体３１内に流入した水が、上記貯水槽支持部材２の流通空間Ａを通り、最終的には基礎部１１の外側に自然に流出するように、該貯水槽本体３１の正面側から背面側にかけて高さが高くなるように徐々に傾斜している。また、上記左側板部３６と右側板部３７とは下端から上端側に亘って徐々に離間するように僅かに傾斜している。
【００４６】
そして、上記底板部３４の上面には、図６に示すように、上端で浮遊弁４を支持する複数の支持用凸部としての凸条３４ａ，３４ｂがそれぞれ平行に形成されている。これら凸条３４ａ，３４ｂは、図１０に示すように、上記底板部３４の正面端よりもやや後方にその正面端を有してなるとともに、それぞれの高さは後方にしたがって徐々に低くされており、上記底板部３４全体の傾斜角度と相俟って、該凸条３４ａ，３４ｂの上端は水平とされている。また、図７に示すように、上記底板部３４の正面側中途部であって、上記凸条３４ａ，３４ｂの正面側端部から僅かに正面側の上面から上記天板部３８の下面には、後述するように、水位の変化により昇降する上記浮遊弁４の正面をガイドするとともに、水位の低下に伴って上記浮遊弁４が、貯水槽３内から上記貯水槽支持部材２の内部を取って外部空間に排出されることを防止する左右のガイド板部４１，４２が互いに平行に設けられている。なお、これら左右のガイド板部４１，４２は、本発明を構成するガイド部材である。
【００４７】
また、上記貯水槽本体３１の正面には、図７に示すように、上記底板部３４の正面端から垂下した下フランジ部３４ｃと、上記左側板部３６の正面端から側方に突出した左フランジ部３６ｃと、上記右側板部３７の正面端から側方に突出した右フランジ部３７ｃと、上記天板部３８（後述する水平フランジ部３８ｆ）の正面端から上方に突出した上フランジ部３８ｃとがそれぞれ形成され、これら下フランジ部３４ｃ、左フランジ部３６ｃ、右フランジ部３７ｃ及び上フランジ部３８ｃとは、それぞれ上記流入空間Ｂ全体を囲むように連続した状態で成形されている。なお、上記上フランジ部３８ｃは、上記下フランジ部３４ｃ、左フランジ部３６ｃ、右フランジ部３７ｃの幅よりも長尺に成形され、該上フランジ部３８ｃの上端側中途部には、前記貯水槽支持部材２を構成する上フランジ部２１ｃに形成されたネジ穴２１ｄにそれぞれ対応した位置に、上記各固定ネジ６が螺着される貯水槽側ネジ穴３８ｄが全部で４つ等間隔に形成されている。
【００４８】
また、上記連続した下フランジ部３４ｃ、左フランジ部３６ｃ、右フランジ部３７ｃ及び上フランジ部３８ｃの正面であって、上記流入空間Ｂに近接した位置には、止水材である図示しないコーキング材が充填される無端状の止水材充填部８が、上記各フランジ部（符号は省略する。）の正面よりも上記貯水槽支持部材２の背面側に突出した状態で形成されている。この止水材充填部８は、正面側に開口を有する凹条に成形されてなるものである。また、上記下フランジ部３４ｃの下方の左右両側の正面には、前記それぞれの凹部２５ｆ内に挿入されるとともに、上記左右の固定軸２４ｇに係合する円弧状の回動ガイド部１０がそれぞれ形成されている。これら左右の円弧状の回動ガイド部１０は、上記止水材充填部８が位置する部位よりもやや下方に形成されており、それらの先端は、図５又は図１０に示すように、該止水材充填部８の正面よりもやや上記貯水槽支持部材２側に突出している。なお、上記各回動ガイド部１０は、それぞれ背面側に上記固定軸２４ｇが挿通される開口（符号は省略する。）が形成されている。
【００４９】
また、上記貯水槽本体３１を構成する上記天板部３８は、図８に示すように、全体の平面形状が略長方形状に成形され、内側には上記底板部３４の面積よりもやや広い面積を有する本体側開口（符号は省略する。）が形成されている。また、この天板部３８は、上記背面側板部３５、左側板部３６及び右側板部３７の上端位置よりも側方（水平方向）に延出された水平フランジ部３８ｆを備えている。そして、この水平フランジ部３８ｆには、後述する蓋体３２をこの貯水槽本体３１に載置・固定する固定ネジ５９（図１参照）が螺着されるネジ穴３８ｇが全部で１０個形成されている。
【００５０】
次に、上記貯水槽本体３１に上記固定ネジ５９により固定される蓋体３２について説明する。この蓋体３２は、図１又は図１１に示すように、下面が上記貯水槽本体３１に形成された上記水平フランジ部３８ｆに載置され略長方形状に成形された天板部４５と、図６に示すように、この天板部４５の左端からやや垂下し上記貯水槽本体３１に形成された水平フランジ部３８ｆの端部に内側面が接触又は対向する左垂下部４６と、天板部４５の右端からやや垂下し上記水平フランジ部３８ｆの端部に内側面が接触又は対向する右垂下部４７と、天板部４５の後端からやや垂下し上記水平フランジ部３８ｆの端部に内側面が接触又は対向する図示しない後垂下部を備えている。また、図６に示すように、上記天板部４５の内側には、本発明を構成する長方形状の開閉用開口Ｃが形成されている。この開閉用開口Ｃは、上記水位の変化により昇降する上記浮遊弁４の面積よりも小さな面積とされた空間である。また、この実施の形態では、上記天板部４５の下面には、内周面により上記開閉用開口Ｃのやや下方の空間を囲むとともに、外周面は、上記貯水槽本体３１の天板部３８に形成された本体側開口を形成する内側端部に嵌合されるゴム製の無端状の止水部材５１が固定されている。
【００５１】
なお、この蓋体３２を構成する上記天板部４５には、図１１に示すように、上記貯水槽本体３１の天板部３８に形成されたそれぞれのネジ穴３８ｇに対応した位置に、ネジ挿通穴４５ｇが形成されている。また、この蓋体３２の天板部４５の上面には、該天板部４５の上面から起立してなるとともに、正面側から背面側に長さを有し、上記開閉用開口Ｃ上を跨ぐ複数の蓋側リブ４５ｈが形成されている。また、上記浮遊弁４は、平面形状が長方形状に成形された板体であり、発砲スチレン等のように、水の比重よりも低い比重となされた素材により成形されたものである。
【００５２】
そして、上述した床下換気装置１を構成する上記貯水槽支持部材２は、先にも説明した通り、住宅の基礎部１１をコンクリートにより成形する際において、該基礎部１１に成形される床下換気孔１１ａの形成位置に、該基礎部１１の正面と背面を成形する各型枠に図示しない複数の固定具を使用することによって位置決めし、その上でコンクリートが打設され、該コンクリートが硬化することにより、図１２に示すように、基礎部１１と一体化（固定）されるものである。また、上記基礎部１１内であって上記貯水槽支持部材２の下方は左右両側には鉄筋１２が配筋されている。そこで、以下、上記基礎部１１に固定された貯水槽支持部材２に、上記貯水槽３を取り付け固定する方法について、その工程順に説明する。
【００５３】
図１３は、上記基礎部１１に貯水槽支持部材２が固定された状態と、貯水槽３の正面を上向きにした状態を示すものであり、この上向きとされた貯水槽３を構成する止水材充填部８内に止水材である図示しないコーキング材を充填する。このコーキング材は、上記止水材充填部８からはみ出る位に充填することが望ましい。そして、こうした止水材の充填作業が終了すると、次いで、図１４に示すように、上記貯水槽本体３１の正面の下端側両側に形成された上記円弧状の回動ガイド部１０を、それぞれ上記貯水槽支持部材２の背面側に形成された凹部２４ｆ内に挿入するとともに、該各円弧状の回動ガイド部１０を上記左右の固定軸２４ｇに係合させ、該左右の固定軸２４ｇを中心に、上記貯水槽３全体を回転させ（図１４中、反時計回り方向に回転させ）、上記貯水槽本体３１の正面に形成された下フランジ部３４ｃ、左フランジ部３６ｃ、右フランジ部３７ｃ及び上フランジ部３８ｃの正面を、それぞれ上記貯水槽支持部材２の背面に形成された上フランジ部２１ｃ、左フランジ部２２ｃ、右フランジ部２３ｃ、下フランジ部２４ｃの背面に当接させる。こうした貯水槽３の回転操作により、該貯水槽３を貯水槽支持部材２に対して正確な位置に移動させることができるとともに、こうした操作により、上記貯水槽支持部材２に形成された無端状の挿入板部７は、上記止水材充填部８内に挿入され、この結果、該止水材充填部８内に充填された止水材は該止水材充填部８内からはみ出される。また、このように貯水槽３を回転させることにより、該貯水槽３に形成された上フランジ部３８ｃの正面は、上記貯水槽支持部材２を構成する上フランジ部２１ｃに対向することとなる。そこで、上記上フランジ部３８ｃの形成された４つのネジ穴３８ｄから固定ネジ６をそれぞれ挿入するとともに、該上フランジ部２１ｃに形成された各ネジ穴２１ｄにそれぞれの固定ネジ６を螺着することにより、貯水槽支持部材２に対する貯水槽３の固定作業が終了する。そして、こうした貯水槽支持部材２に対して貯水槽３が固定されることにより、該貯水槽支持部材２の内側に形成された流通空間Ａと、該貯水槽３の正面に形成された流入空間Ｂとは互いに連通した状態となる。
【００５４】
以下、上述した実施の形態に係る床下換気装置１の作用効果を説明する。こうして基礎部１１に配置・固定された床下換気装置１は、通常時においては、上記浮遊弁４は上記貯水槽本体３１の底板３４上に位置し、床下空間と外部空間とは、上記流通空間Ａ及び上記流入空間Ｂ並びに及び貯水槽３の蓋体３２に形成された開閉用開口Ｃを介して繋がっていることから、これらの構成により空気が流通する。一方、洪水等により水嵩が増し、上記貯水槽支持部材２に形成された流通空間Ａを水が通過し、この水が、上記流入空間Ｂから貯水槽本体３１内に流入すると、それまで底板部３４上に載置されていた浮遊弁４は、水に浮かび水位の上昇に伴って徐々に上昇する（図１６参照）。この際、この浮遊弁４は、上記左側板部３６や右側板部３７等の内側面にガイドされるとともに、上記左右のガイド板部４１，４２によりガイドされる結果、該浮遊弁４は上昇途中において傾斜する等して完全に上記開閉用開口９が閉塞されない事態が防止されている。そして、上記水位の上昇により、やがて該浮遊弁４の上面は、図１７に示すように、上記止水部材５１の下面に当接し、この結果上記開閉用開口Ｃは閉塞される。したがって、上記基礎部１１の外側である外部空間の水嵩が増した場合であっても、床下空間に水が侵入することがない。なお、洪水等が治まり、上記貯水槽本体３１内の水位が低下することにより、それまで上昇していた浮遊弁４は、再び上記初期位置に復帰する。
【００５５】
また、上記実施の形態に係る床下換気装置１では、貯水槽３を構成する底板部３４の上面には、２つの支持用凸部としての凸条３４ａ，３４ｂが形成され、上記浮遊弁４は、これらの凸条３４ａ，３４ｂの上端で支持されていることから、上記貯水槽本体３１内に流入した水は、先ず上記各凸条３４ａ，３４ｂの両側であって該浮遊弁４の下側に流入するように構成されていることから、勢い良く又は急激に貯水槽本体３１内に水が流入した場合であっても、上記浮遊弁４により、必ず上記開閉用開口Ｃはその下側から閉塞される。
【００５６】
なお、上記第１の実施の形態に係る床下換気装置１では、本発明を構成する固定軸部２４ｇを貯水槽支持部材２の背面側に形成する一方、上記貯水槽３の正面側に、上記各固定軸部２４ｇに係合し支持される円弧状の回動ガイド部１０が形成され、該貯水槽支持部材２を貯水槽３に固定する際には、先ず、上記各固定軸部２４ｇに上記回動ガイド部１０をそれぞれ係止させ、その上で、上記各固定軸２４ｇを中心に該貯水槽３全体を回動操作することにより、貯水槽支持部材２の所定位置に貯水槽３を位置させることができるようにしたものであるところ、この発明は、上記各固定軸が上記貯水槽３に形成されてなる一方、上記貯水槽支持部材２に上記各固定軸に支持・係合され、上部に固定軸が挿通される開口が形成された円弧状の回動ガイド部が設けられたものであっても良い。また、上記第１の実施の形態に係る床下換気装置１では、上記無端状の挿入板部７が貯水槽支持部材２の背面に形成され、上記コーキング材が充填される無端状の止水材充填部８が貯水槽３の正面に形成されているものを説明したが、本発明は、止水材充填部が貯水槽支持部材２の背面に形成され、上記無端状の挿入板部が貯水槽３の正面に形成されたものであっても良い。
【００５７】
また、上記第１の実施の形態に係る床下換気装置１では、上記貯水槽支持部材２は、住宅の基礎部１１をコンクリートにより成形する際に該基礎部１１に成形される床下換気孔の形成位置に位置決めされ、該基礎部１１と一体化（固定）されるものであるが、本発明を構成する貯水槽支持部材は、少なくとも貯水槽を支持するものであれば、上記基礎部１１が成形された後に、該基礎部１１に固定されるものであっても良い。例えば、図１８又は図１９に、第２の実施の形態として示す床下換気装置７１のように、正面形状が長方形状に成形され内側は、流通空間Ａである床下換気孔１１ａが形成された基礎部１１の内側面に固定される貯水槽支持部材７２と、この貯水槽支持部材７２に支持・固定される貯水槽７３と、この貯水槽７３内に収容された浮遊弁７４を備えてなるものである。そして、上記貯水槽支持部材７２は、上記床下換気孔１１ａを形成する４つの孔形成面１１ｃ，１１ｄ，１１ｅ，１１ｆの内で下方に形成された孔形成面１１ｆと略面一の上面を有する支持板部７５と、この支持板部７５の先端から折曲され正面は上記基礎部１１の内側面に止水用ゴム板７７を挟んで固定される固定板部７６とから構成されている。上記支持部材７５は、上記貯水槽７３を上面で支持する部位であり、ボルト７８の軸部が挿通される挿通穴７５ａが形成されている。また、上記固定板部７６には、ボルト８５の軸部が挿通される複数のボルト挿通穴７６ａが形成されている。また、上記止水用ゴム板７７は、図１８に示すように、中央に上記床下換気孔１１ａの正面形状や後述する貯水槽７３の正面に形成された流入開口Ｂと同じ形状の開口７７ａが形成された板体である。そして、この止水用ゴム板７７には、上記ボルト８５の軸部が挿通される複数のボルト挿通穴７７ｂが形成されている。なお、上記貯水槽支持部材７２を基礎部１１に固定する方法は、上記基礎部１１の内側面の所定位置に、複数のアンカーナット８６（図１９参照）を打設し、これらのアンカーナット８６に上記ボルト挿通穴７６ａ及び開口７７ａに挿通したボルト８５の軸部を螺着させる。
【００５８】
また、上記貯水槽７３は、方形状に成形された底板部７９と、この底板部７９の左端から起立してなる左側板部８０と、上記底板部７９の右端から起立してなる右側板部８１と、上記底板部７９の後端から起立してなる背面側板部８２と、上記底板部７９に対向してなる天板部８３とを備え、正面には、上記底板部７９、背面側板部８２、左側板部８０、右側板部８１及び天板部８３により囲まれ、上記床下換気孔１１ａから流入した空気又は水が、この貯水槽７３内に流入する流入空間Ｂ（図１９参照）形成されている。また、この貯水槽７３の正面には、上記流入空間Ｂを囲んでなるとともに、基端は上記底板部７９、左側板部８０、右側板部８１及び天板部８３の正面端とされてなる正面側フランジ部７３ａが形成され、この正面側フランジ部７３ａには、ボルト８５の軸部が挿通される挿通穴７３ｂが形成されている。
【００５９】
また、この貯水槽７３の底板部７９には、該底板部７９の左端と右端及び後端のそれぞれから側方又は後方に延出された下側フランジ部７３ｄが形成され、この下側フランジ部７３ｄには、これらを、上記貯水槽支持部材７２を構成する支持板部７５に固定するボルト７８の軸部が挿通される挿通穴７３ｅが形成されている。また、上記天板部８３には、本発明を構成する開閉用開口Ｃが形成されている。また、上記浮遊弁７４は、発砲スチレン等のように比重が１以下の素材により平面形状が長方形状に成形された板体であり、上記開閉用開口Ｃの面積よりも広い面積を有するものである。なお、この浮遊弁７４の長さは、上記止水用ゴム板７７に形成された開口７７ａの長さよりも長尺となされている。したがって、後述する水位が低下した際に、この浮遊弁７４が水に流れて外部に排出されない。
【００６０】
したがって、上述した第２の実施の形態に係る床下換気装置７１による場合であっても、上記第１の実施の形態に係る床下換気装置１と同じように、上記床下換気孔１１ａから貯水槽７３内に水が流入し、その水位の上昇により浮上した上記浮遊弁７４により、上記開閉用開口Ｃが下側から閉塞され、この結果、床下空間内への水の侵入（床下浸水）を防止することができる。特に、上述した床下換気装置７１によれば、既設の住宅に形成された基礎部１１に固定することができる。
【００６１】
さらに、本発明に係る床下換気装置は、上記第１又は第２の実施の形態に係る床下換気装置１，７１とは異なり、図２０又は図２１に示す構成（第３の実施の形態）からなるものであっても良い。この第３の実施の形態に係る床下換気装置９１は、床下換気孔１１ａが形成された既設の基礎部１１に固定される貯水槽支持部材９２と、この貯水槽支持部材９２に支持固定される貯水槽９３と、この貯水槽９３内に収容される浮遊弁９４とから構成されている。上記貯水槽支持部材９２は、上記基礎部１１の内側面に間に図示しないコーキング材又は止水板等を介して固定される平板部９５と、この平板部９５の中央に形成された開口（符号は省略する。）と、この平板部９５の正面に形成された前方管部９６と、上記平板部９５の背面に形成された後方管部９７とを備えている。上記前方管部９６と後方管部９７とは互いに連通してなるとともに、該前方管部９６の外形形状は、上記床下換気孔１１ａの形状と略同じ形状に成形され、該前方管部９６は、該床下換気孔１１ａ内に上記基礎部１１の内側から挿入される部位である。換言すれば、上記貯水槽支持部材９２を構成する前方管部９６の各外側面は、上記基礎部１１の床下換気孔１１ａを形成する４つの孔形成面に対向する対向面である。なお、この前方管部９６の対向面と床下換気孔１１ａを形成する４つの孔形成面との間は、該床下換気孔１１ａ内に挿入された際、これらの間には図示しないコーキング材が充填される部位である。また、上記後方管部９７は、後述する貯水槽９３の正面側に形成された流入空間Ｂ内に挿入され、該貯水槽９３を支持する部位である。そして、上記平板部９５には、該貯水槽支持部材９２を上記基礎部１１の内側面に固定するボルト９９が挿通される複数のボルト挿通穴９５ａが、上記前方管部９６や後方管部９７の上下両側及び左右両側に形成されている。これらのボルト９９は、上記各ボルト挿通穴９５ａの形成個所に対応した位置に、基礎部１１の内側面に打設されたアンカーナット１００に螺着されるものである。すなわち、上記貯水槽支持部材９２全体は、上記アンカーナット１００に螺着される上記ボルト９９により上記基礎部１１に固定される。
【００６２】
そして、上記貯水槽９３は、方形状に成形された底板部１０１と、この底板部１０１の後端から起立してなる背面側板部１０２と、上記底板部１０１の左端から起立してなる左側板部１０３と、上記底板部１０１の右端から起立してなる右側板部１０４と、上記底板部１０１に対向してなる天板部１０５とを備え、正面には、上記底板部１０１、背面側板部１０２、左側板部１０３、右側板部１０４及び天板部１０５により囲まれ、上記床下換気孔１１ａから流入した空気又は水が、この貯水槽９３内に流入する流入空間Ｂが形成されている。なお、この流入空間Ｂは、上記後方管部９７が嵌入される空間である。また、この貯水槽９３では、該貯水槽９３の正面に、上記流入空間Ｂの入り口を周囲から囲むようにフランジ部９３ａが形成されている。このフランジ部９３ａは、上記平板部９５の背面にその正面全体が当接する部位であり、該フランジ部９３ａには、上記ボルト９９が挿通される挿通穴９３ｂが形成されている。また、上記天板部１０５には、本発明を構成する開閉用開口Ｃが形成されている。また、上記浮遊弁９４は、発砲スチレン等のように比重が１以下の素材により平面形状が長方形状に成形された板体であり、上記開閉用開口Ｃの面積よりも広い面積を有する。
【００６３】
そして、上記第３の実施の形態に係る床下換気装置９１による場合であっても、上記第１の実施の形態に係る床下換気装置１や第２の実施の形態に係る床下換気装置８１と同じように、上記流通空間Ａである床下換気孔１１ａから流入し上記流入空間Ｂから貯水槽９３内に水が流入すると、その水位の上昇により浮上した上記浮遊弁９４により、上記開閉用開口Ｃが下側から閉塞され、この結果、床下空間内への水の侵入（床下浸水）を防止することができる。
【００６４】
そして、上述した第１ないし第３の実施の形態に係る床下換気装置１，７１，９１を備えた住宅によれば、台風や集中豪雨等により洪水が発生し、上記基礎部１１の外側（外部空間）における水位が上昇して、上記基礎部１１に形成された床下換気孔１１ａやその内側から水が流入した場合であっても、この水は上記浮遊弁４，７４，９４により上記開閉用開口Ｃが下側から閉塞され、該住宅の床下空間に侵入することが防止され、床下浸水となることを有効に防止することができる。また、こうした洪水等が発生しない通常時においては、上記床下空間と外部空間とは、上記流通空間Ａ、流入空間Ｂ並びに上記開閉用開口Ｃをそれぞれ介して、空気が流通することから、上記床下換気孔１１ａによる換気機能や除湿機能が減殺されることなく、これらの機能を有効に発揮することができる。特に、上記開閉用開口Ｃが設けられた貯水槽３，８３，９３は、何れも上記基礎部１１の内側面からやや離間した部位（住宅の床下）に位置してなることから、上記開閉用開口Ｃの面積をどのように設計するかは、上記床下換気孔１１ａの形状や大きさには一切影響されることなく自由に設計することができ、より一層床下換気孔１１ａによる換気機能や除湿機能が減殺されることがない。
【符号の説明】
【００６５】
１  床下換気装置
２  貯水槽支持部材
３  貯水槽
４  浮遊弁
８  止水材充填部
１０  回動ガイド部
１１  基礎部
１１ａ  床下換気孔
１１ｂ，１１ｃ，１１ｄ，１１ｅ  孔形成面
２１  天板部
２１ａ  第１の上側リブ
２２  左側板部
２３  右側板部
２４  底板部
２４ａ  第１の下側リブ
２４ｇ  固定軸
３４  底板部
３５  背面側板部
３６  左側板部
３７  右側板部
４１，４２  左右のガイド板部
７１  床下換気装置
７２  貯水槽支持部材
７３  貯水槽
７４  浮遊弁
７５  支持板部
７６  固定板部
７９  底板部
８０  左側板部
８１  右側板部
８２  背面側板部
８３  天板部
９１  床下換気装置
９２  貯水槽支持部材
９３  貯水槽
９４  浮遊弁
１０１  底板部
１０２  背面側板部
１０３  左側板部
１０４  右側板部
１０５  天板部
Ａ  流通空間
Ｂ  流入空間
Ｃ  開閉用開口
【図１】
2020169510.tif 000003
【図２】
2020169510.tif 000004
【図３】
2020169510.tif 000005
【図４】
2020169510.tif 000006
【図５】
2020169510.tif 000007
【図６】
2020169510.tif 000008
【図７】
2020169510.tif 000009
【図８】
2020169510.tif 000010
【図９】
2020169510.tif 000011
【図１０】
2020169510.tif 000012
【図１１】
2020169510.tif 000013
【図１２】
2020169510.tif 000014
【図１３】
2020169510.tif 000015
【図１４】
2020169510.tif 000016
【図１５】
2020169510.tif 000017
【図１６】
2020169510.tif 000018
【図１７】
2020169510.tif 000019
【図１８】
2020169510.tif 000020
【図１９】
2020169510.tif 000021
【図２０】
2020169510.tif 000022
【図２１】
2020169510.tif 000023